(57)【要約】  本発明のプラズマディスプレイ装置及びプラズマディスプレイ装置の駆動方法はフレームを構成する一番目サブフィールドでは選択的書き込み動作を遂行して二番目サブフィールド以後からは選択的消去動作を遂行する。
2009519499.tif 000002
【特許請求の範囲】
【請求項１】
スキャン電極及びアドレス電極を含み、一番目サブフィールドから第ｎ番目サブフィールドからなるフレーム間画像を表示するプラズマディスプレイパネルと、
前記一番目サブフィールドで前記スキャン電極に第１スキャンパルスを供給して、二番目サブフィールドから第ｎ番目サブフィールドで前記第１スキャンパルスの幅より小さな幅を持った第２スキャンパルスを前記スキャン電極に供給するスキャン駆動部と、
前記第１スキャンパルスに同期して光が放出される第１放電セルを選択するためのデータパルスを供給して、前記二番目サブフィールドから前記第ｎ番目サブフィールドで前記第２スキャンパルスに同期して前記第１放電セルの内で光が放出されない第２放電セルを選択するためのデータパルスを前記アドレス電極に供給するデータ駆動部、
を含むプラズマディスプレイ装置。    
【請求項２】
前記スキャン駆動部は
前記第２スキャンパルスを供給する以前に前記第２スキャンパルスの第１極性と異なる第２極性を持ったプライミングパルスを前記スキャン電極に供給することを特徴とする、請求項１記載のプラズマディスプレイ装置。    
【請求項３】
前記プラズマディスプレイパネルは第１スキャン電極及び第２スキャン電極を含み、
前記スキャン駆動部は前記プライミングパルスを等しい時点で前記第１スキャン電極及び前記第２スキャン電極に供給することを特徴とする、請求項１記載のプラズマディスプレイ装置。    
【請求項４】
ｎは８以上４０以下であることを特徴とする、請求項１記載のプラズマディスプレイ装置。    
【請求項５】
前記プラズマディスプレイパネルは第１スキャン電極及び第２スキャン電極を含み、
前記スキャン駆動部は前記第１スキャン電極に前記第２スキャンパルスを供給した後前記第２スキャン電極に前記第２スキャンパルスを供給して、
前記第２スキャン電極に供給された前記第２スキャンパルスの幅は前記第１スキャン電極に供給された前記第２スキャンパルスの幅より大きいことを特徴とする、請求項１記載のプラズマディスプレイ装置。    
【請求項６】
前記プラズマディスプレイパネルは第１スキャン電極を含む第１スキャン電極群と第２スキャン電極を含む第２スキャン電極群を含み、
前記第１スキャン電極群と前記第２スキャン電極群はお互いに隣接して位置して、
前記スキャン駆動部は前記第１スキャン電極群より前記第２スキャン電極群に前記第１スキャンパルスまたは前記第２スキャンパルスを先に供給することを特徴とする、請求項１記載のプラズマディスプレイ装置。    
【請求項７】
スキャン電極及びアドレス電極を含み、一番目サブフィールドから第ｎ番目サブフィールドからなるフレーム間画像を表示するプラズマディスプレイ装置の駆動方法において、
前記一番目サブフィールドで前記スキャン電極に第１スキャンパルスを供給する段階と、
前記第１スキャンパルスに同期して光が放出される第１放電セルを選択するためのデータパルスを供給する段階と、
二番目サブフィールドから第ｎ番目サブフィールドで前記第１スキャンパルスの幅より小さな幅を持った第２スキャンパルスを前記スキャン電極に供給する段階と、
前記二番目サブフィールドから前記第ｎ番目サブフィールドで前記第２スキャンパルスに同期して前記第１放電セルの内で光が放出されない第２放電セルを選択するためのデータパルスを前記アドレス電極に供給する段階、
を含むプラズマディスプレイ装置の駆動方法。    
【請求項８】
前記第２スキャンパルスを供給する以前に前記第２スキャンパルスの第１極性と異なる第２極性を持ったプライミングパルスが前記スキャン電極に供給されることを特徴とする、請求項７記載のプラズマディスプレイ装置の駆動方法。    
【請求項９】
前記プラズマディスプレイ装置は第１スキャン電極及び第２スキャン電極を含み、
前記プライミングパルスは同一である時点で前記第１スキャン電極及び前記第２スキャン電極に供給されることを特徴とする、請求項７記載のプラズマディスプレイ装置の駆動方法。    
【請求項１０】
ｎは８以上４０以下であることを特徴とする、請求項７記載のプラズマディスプレイ装置の駆動方法。    
【請求項１１】
前記プラズマディスプレイパネルは第１スキャン電極及び第２スキャン電極を含み、
前記第１スキャン電極に前記第２スキャンパルスが供給された後前記第２スキャン電極に前記第２スキャンパルスが供給されて、
前記第２スキャン電極に供給された前記第２スキャンパルスの幅は前記第１スキャン電極に供給された前記第２スキャンパルスの幅より大きいことを特徴とする、請求項７記載のプラズマディスプレイ装置の駆動方法。    
【請求項１２】
前記プラズマディスプレイパネルは第１スキャン電極を含む第１スキャン電極群と第２スキャン電極を含む第２スキャン電極群を含み、
前記第１スキャン電極群と前記第２スキャン電極群はお互いに隣接して位置して、
前記第１スキャン電極群より前記第２スキャン電極群に前記第１スキャンパルスまたは前記第２スキャンパルスが先に供給されることを特徴とする、請求項７記載のプラズマディスプレイ装置の駆動方法。    
【発明の詳細な説明】
【技術分野】
【０００１】
本発明はプラズマディスプレイ装置及びプラズマディスプレイ装置の駆動方法に関する。    
【背景技術】
【０００２】
一般的にプラズマディスプレイ装置（Ｐｌａｓｍａ  Ｄｉｓｐｌａｙ  Ａｐｐａｒａｔｕｓ）はプラズマディスプレイパネルとプラズマディスプレイパネルの電極に駆動信号を印加するための駆動部を含む。    
【０００３】
プラズマディスプレイパネルは前面基板と背面基板の間に形成された隔壁が一つの単位セルを成すのに、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。    
【０００４】
高周波電圧が電極に供給されて放電が起きる時、不活性ガスは真空紫外線（Ｖａｃｕｕｍ  Ｕｌｔｒａｖｉｏｌｅｔ  ｒａｙｓ）を発生して隔壁の間に形成された蛍光体を発光させて画像が具現される。プラズマディスプレイ装置は薄く軽い構成が可能なので次世代表示装置として脚光を浴びている。    
【０００５】
プラズマディスプレイパネルには放電を発生させるための駆動電圧が供給されて、駆動電圧によってリセット期間でリセット放電、アドレス期間でアドレス放電、サステイン期間でサステイン放電などの放電が発生することで映像が表示される。    
【発明の開示】
【発明が解決しようとする課題】
【０００６】
プラズマディスプレイ装置の解像度が増加するほど光を放出する放電セルを選択するためのアドレス期間が増えて、アドレス期間の増加によるサステイン期間のマージンが減少する問題点が発生する。    
【０００７】
本発明はアドレス期間を減少させる共にサステイン期間のマージンを増加させることができるプラズマディスプレイ装置及びプラズマディスプレイ装置の駆動方法を提供するためのものである。    
【課題を解決するための手段】
【０００８】
本発明の実施形態に係るプラズマディスプレイ装置はスキャン電極及びアドレス電極を含み、一番目サブフィールドから第ｎ番目サブフィールドからなるフレーム間画像を表示するプラズマディスプレイパネル、一番目サブフィールドで前記スキャン電極に第１スキャンパルスを供給して、二番目サブフィールドから第ｎ番目サブフィールドで前記第１スキャンパルスの幅より小さな幅を持った第２スキャンパルスを前記スキャン電極に供給するスキャン駆動部及び前記第１スキャンパルスに同期して光が放出される第１放電セルを選択するためのデータパルスを供給して、前記二番目サブフィールドから前記第ｎ番目サブフィールドで前記第２スキャンパルスに同期して前記第１放電セルの内で光が放出されない第２放電セルを選択するためのデータパルスを前記アドレス電極に供給するデータ駆動部を含む。    
【発明の効果】
【０００９】
本発明のプラズマディスプレイ装置及び駆動方法はコントラスト特性を向上させてアドレス期間を減少させてサステイン期間のマージンを増加させることができる。    
【００１０】
本発明のプラズマディスプレイ装置及び駆動方法は階調表現力を増加させることができる。
【発明を実施するための最良の形態】
【００１１】
図１に示されたように、本発明の実施形態に係るプラズマディスプレイ装置はプラズマディスプレイパネル１００、スキャン駆動部１１０、データ駆動部１２０、サステイン駆動部１３０、及びコントロール部１４０を含む。    
【００１２】
プラズマディスプレイパネル１００は上部基板（図示せず）と下部基板（図示せず）が一定な間隔を置いて合着される。上部基板にはスキャン電極（Ｙ１乃至Ｙｎ）及びサステイン電極（Ｚ）が位置して、下部基板にはスキャン電極（Ｙ１乃至Ｙｎ）及びサステイン電極（Ｚ）と交差されるようにアドレス電極（Ｘ１乃至Ｘｍ）が位置する。プラズマディスプレイパネル１００は一番目サブフィールドから第ｎ番目サブフィールドからなるフレーム間画像を表示する。    
【００１３】
スキャン駆動部１１０はコントロール部１４０の制御の下にリセット期間の間、以前のサブフィールドでのすべての放電セルの壁電荷状態を初期化するためのリセットパルスをスキャン電極（Ｙ１乃至Ｙｎ）に供給する。スキャン駆動部１１０はコントロール部１４０の制御の下にアドレス期間の間スキャンパルスをスキャン電極（Ｙ１乃至Ｙｎ）に順次に供給する。スキャン駆動部１１０は一番目サブフィールドでスキャン電極（Ｙ１乃至Ｙｎ）に第１スキャンパルスを供給して、二番目サブフィールドから第ｎ番目サブフィールドで第１スキャンパルスの幅より小さな幅を持った第２スキャンパルスをスキャン電極（Ｙ１乃至Ｙｎ）に供給する。スキャン駆動部１１０はコントロール部１４０の制御の下にサステイン期間の間にサステインパルスをスキャン電極（Ｙ１乃至Ｙｎ）に供給する。
【００１４】
データ駆動部１２０は第１スキャンパルスに同期して光が放出される第１放電セルを選択するためのデータパルスを供給して、二番目サブフィールドから前記第ｎ番目サブフィールドで第２スキャンパルスに同期して第１放電セルの内で光が放出されない第２放電セルを選択するためのデータパルスをアドレス電極（Ｘ１乃至Ｘｍ）に供給する。    
【００１５】
スキャン駆動部１１０とデータ駆動部１２０の動作によって本発明の実施形態に係るプラズマディスプレイ装置は一番目サブフィールドで選択的書き込み動作を通じて画像を表示して、二番目サブフィールドから前記第ｎ番目サブフィールドで選択的消去動作を通じて画像を表示する。    
【００１６】
本発明の実施形態でのスキャン駆動部１１０及びデータ駆動部１２０に対する詳しい説明は以後図２及び図３を参照して行う。    
【００１７】
サステイン駆動部１３０はコントロール部１４０の制御の下にリセット期間のセットダウン期間からアドレス期間までまたはアドレス期間の間バイアス電圧をサステイン電極（Ｚ）に供給する。正極性電圧（Ｖｚ）のレベルはサステインパルスの最高電圧のレベルと実質的に同じであることがある。サステイン駆動部１３０はサステイン期間の間サステインパルスをサステイン電極（Ｚ）に供給する。    
【００１８】
コントロール部１４０は垂直／水平同期信号とクロック信号を入力受けてリセット期間、アドレス期間、サステイン期間で各駆動部（１１０、１２０、１３０）の動作タイミングと同期化を制御するためのタイミング制御信号（ＣＴＲＸ、ＣＴＲＹ、ＣＴＲＺ）を発生して、タイミング制御信号（ＣＴＲＸ、ＣＴＲＹ、ＣＴＲＺ）を該当の駆動部（１２０、１１０、１３０）に供給することで各駆動部（１１０、１２０、１３０）を制御する。
【００１９】
図２に示されたように、本発明の実施形態に係るプラズマディスプレイ装置は一番目サブフィールドから第ｎ番目サブフィールドからなる一つのフレームごとに画像を表示する。ｎは８以上４０以下であることがある。本発明の実施形態に係るプラズマディスプレイ装置は二番目サブフィールド（ＳＦ２）から第ｎ番目サブフィールドで選択的消去動作をするので各サブフィールドのアドレス期間が短くなって一つのフレームを構成するサブフィールドの個数を増加させることができる。一つのフレームを構成するサブフィールドの個数が増加するので階調表現力が増加する。    
【００２０】
本発明の実施形態に係るプラズマディスプレイ装置は一番目サブフィールド（ＳＦ１）で選択的書き込み動作（ＳＷ：Ｓｅｌｅｃｔｉｖｅ  Ｗｒｉｔｉｎｇ）をするので一番目サブフィールド（ＳＦ１）はプラズマディスプレイパネルの全体放電セルに形成された壁電荷を均一にさせるためのリセット期間、  光が放出される第１放電セルを選択するためのアドレス期間及び第１放電セルから光が放出されるサステイン期間を含む。また本発明の実施形態に係るプラズマディスプレイ装置は二番目サブフィールド（ＳＦ２）から第ｎ番目サブフィールド（ＳＦｎ）で選択的消去動作（ＳＥ：Ｓｅｌｅｃｔｉｖｅ  Ｅｒａｓｅ）をするので二番目サブフィールド（ＳＦ２）から第ｎ番目サブフィールド（ＳＦｎ）それぞれは第１放電セルの内で光が放出されない第２放電セルを選択するためのアドレス期間を含む。    
【００２１】
選択的書き込み動作（ＳＷ）は全体放電セルをリセット期間で光が放出されない状態にすることでリセット期間の輝度と、画像が具現されるサステイン期間の輝度の比が増加してコントラスト特性が向上される。    
【００２２】
選択的消去動作（ＳＥ）はアドレス期間に選択的書き込み動作（ＳＷ）を通じて光が放出された放電セルに形成された壁電荷の一部を消去することで光が放出されない放電セルを選択する。選択的消去動作（ＳＥ）のアドレス期間に印加されるスキャンパルスの幅は選択的書き込み動作（ＳＷ）のアドレス期間に印加されるスキャンパルスの幅より小さいので選択的書き込み動作（ＳＷ）を通じて光が放出された放電セルに形成された壁電荷の一部が消去される。    
【００２３】
二番目サブフィールド（ＳＦ２）から第ｎ番目サブフィールド（ＳＦｎ）のアドレス期間に印加されるスキャンパルスの幅は一番目サブフィールド（ＳＦ１）のアドレス期間に印加されるスキャンパルスの幅より小さいので二番目サブフィールド（ＳＦ２）から第ｎ番目サブフィールド（ＳＦｎ）のアドレス期間は一番目サブフィールド（ＳＦ１）のアドレス期間より小さい。    
【００２４】
これによって本発明の実施形態に係るプラズマディスプレイ装置はアドレス期間を減少させる共にサステイン期間のマージンを増加させることができる。      また本発明の実施形態に係るプラズマディスプレイ装置は第１サブフィールド（ＳＦ１）で選択的書き込み動作（ＳＷ）をするのでコントラスト特性を向上させることができる。    
【００２５】
本発明の実施形態に係るプラズマディスプレイ装置は全体スキャン電極をスキャン電極群で分けて画像を表示する。例えば、図３に示されたように、７６８個のスキャン電極（Ｙ１乃至Ｙ７６８）が２０個のスキャン電極群（Ｇｒｏｕｐ１乃至Ｇｒｏｕｐ２０）に分けられる場合、本発明の実施形態に係るプラズマディスプレイ装置のスキャン駆動部１１０はスキャン電極群の手順に構わずにスキャンパルスを供給することができる。
【００２６】
例えば、２０個のスキャン電極群（Ｇｒｏｕｐ１乃至Ｇｒｏｕｐ２０）の内第１スキャン電極群（Ｇｒｏｕｐ１）、第２スキャン電極群（Ｇｒｏｕｐ２）及び第３スキャン電極群（Ｇｒｏｕｐ３）が隣接して配置される場合、本発明の実施形態に係るプラズマディスプレイ装置は第１スキャン電極群（Ｇｒｏｕｐ１）、第２スキャン電極群（Ｇｒｏｕｐ２）及び第３スキャン電極群（Ｇｒｏｕｐ３）順に第１スキャンパルスまたは第２スキャンパルスを供給するとか、第２スキャン電極群（Ｇｒｏｕｐ２）、第１スキャン電極群（Ｇｒｏｕｐ１）及び第３スキャン電極群（Ｇｒｏｕｐ３）順に第１スキャンパルスまたは第２スキャンパルスを供給するとか、第３スキャン電極群（Ｇｒｏｕｐ３）、第２スキャン電極群（Ｇｒｏｕｐ２）順に第１スキャンパルスまたは第２スキャンパルスを供給することができる。    
【００２７】
また本発明の実施形態に係るプラズマディスプレイ装置は一つのスキャン電極群が含むスキャン電極に順次に第１スキャンパルスまたは第２スキャンパルスを供給することができる。例えば、一つのスキャン電極群がスキャン電極Ｙ１からスキャン電極Ｙ１０を含む場合、本発明の実施形態に係るプラズマディスプレイ装置はスキャン電極Ｙ１乃至スキャン電極Ｙ１０に順次に第１スキャンパルスまたは第２スキャンパルスを供給することができる。    
【００２８】
一方、選択的消去動作（ＳＥ）が成り立つサブフィールド（ＳＦ２乃至ＳＦｎ）で本発明の実施形態に係るプラズマディスプレイ装置のスキャン駆動部１１０は第２スキャンパルスを供給する以前に第２スキャンパルスの第１極性と異なる第２極性を持ったプライミングパルスを供給する。これによって選択的消去動作（ＳＥ）が成り立つサブフィールド（ＳＦ２乃至ＳＦｎ）はアドレス期間以前にプライミング期間を含むことができる。    
【００２９】
図３に示されたように、一つのスキャン電極群が４０個のスキャン電極（Ｙ１乃至Ｙ４０）を含む時、スキャン駆動部１１０はスキャン電極（Ｙ１乃至Ｙ４０）にプライミングパルス（Ｐｒｉｍｉｎｇ  ｐｕｌｓｅ）（ＰＰ）を印加した後、第２スキャンパルス（Ｐｓｃａｎ２）をスキャン電極（Ｙ１乃至Ｙ４０）に印加する。第２スキャンパルス（Ｐｓｃａｎ２）の第１極性はプライミングパルス（ＰＰ）の第２極性と異なる。例えば、第１極性が正極性であると、第２極性は負極性であることができる。正極性はパルスの最高電圧のレベルがグラウンド電圧（ＧＮＤ）のレベルより高いことを意味する。負極性はパルスの最低電圧のレベルがグラウンド電圧（ＧＮＤ）のレベルより低いことを意味する。
【００３０】
スキャン駆動部１１０はプライミングパルス（ＰＰ）を同一時点（ｔｓ）でスキャン電極（Ｙ１乃至Ｙ４０）に供給することができる。    
プライミングパルス（ＰＰ）はアドレス期間で第２スキャンパルス（Ｐｓｃａｎ２）が印加される前に壁電荷が自然消失することを補うためのことである。すなわち、プライミングパルス（ＰＰ）は壁電荷が消失して誤放電が発生することを防止して、放電のプライミング効果を増加させて正確な放電が起きるようにして高速駆動にさらに有利になるようにできる。
【００３１】
プラズマディスプレイパネル１００が第１スキャン電極及び第２スキャン電極を含み、スキャン駆動部１１０が第１スキャン電極に第２スキャンパルスを供給した後第２スキャン電極に前記第２スキャンパルスを供給する場合、第２スキャン電極に供給された第２スキャンパルスの幅は第１スキャン電極に供給された第２スキャンパルスの幅より大きくなることができる。例えば、図３に示されたように、スキャン駆動部１１０がスキャン電極Ｙ１に第２スキャンパルス（Ｐｓｃａｎ２）を供給した後スキャン電極Ｙ１５に第２スキャンパルス（Ｐｓｃａｎ２）を供給する場合、スキャン電極Ｙ１５に供給された第２スキャンパルス（Ｐｓｃａｎ２）の幅（Ｗ１５）はスキャン電極Ｙ１に供給された第２スキャンパルス（Ｐｓｃａｎ２）の幅（Ｗ１）より大きくなることができる。    
【００３２】
すなわち、時間が経つにつれて壁電荷が自然消失するので第２スキャンパルス（Ｐｓｃａｎ２）の幅を増加させれば各スキャン電極（Ｙ１乃至Ｙ４０）上に形成された壁電荷の偏差が減る。    
【図面の簡単な説明】
【００３３】
【図１】本発明の実施形態に係るプラズマディスプレイ装置を示したものである。
【図２】本発明の実施形態に係るプラズマディスプレイ装置の駆動方法を示したものである。
【図３】本発明の実施形態に係るプラズマディスプレイ装置の選択的消去動作の時供給されるプライミングパルス及び第２スキャンパルスを示したものである。
【図１】
2009519499.tif 000003
【図２】
2009519499.tif 000004
【図３】
2009519499.tif 000005
【国際調査報告】
2009519499.tif 000006
2009519499.tif 000007